(57)【要約】【課題】  シュレッダーにおいて、用紙類を細断する際に発生する静電気を、長期的に効率良く低減することで、細断性能の低下や用紙屑などを回収する際の用紙屑箱の周囲の汚れを抑制することを可能とする。【解決手段】  本発明では、本体部と、紙を細断する細断部と、前記細断部にて細断された紙を受け収容する細断屑収容箱とを備えたシュレッダーにおいて、前記本体部に正イオンを発生する正イオン発生器を設け、前記正イオン発生器は正イオンを発生する放電電極の電位と前記細断部で細断された紙の帯電電位との電位差を利用して、正イオンを前記細断部で細断された紙へ照射することにより、イオン発生器から発生させる正イオンの作用で、負に帯電しやすい用紙屑等に発生した負の静電気を効率良く低減することを可能とした。【選択図】  図１
2005040743.tif 000002
【特許請求の範囲】
【請求項１】
本体部と、紙を細断する細断部と、前記細断部にて細断された紙を受け収容する細断屑収容箱とを備えたシュレッダーにおいて、前記本体部に正イオンを発生する正イオン発生器を設け、前記正イオン発生器は正イオンを発生する放電電極の電位と前記細断部で細断された紙の帯電電位との電位差を利用して、正イオンを前記細断部で細断された紙へ照射することを特徴とするシュレッダー。
【請求項２】
請求項１記載のシュレッダーにおいて、前記正イオンの照射方向は、前記細断部で細断される紙に対して厚み面方向であることを特徴とするシュレッダー。
【請求項３】
請求項１乃至請求項２記載のシュレッダーにおいて、前記正イオンの照射方向は、前記細断屑収容箱の上部付近であることを特徴とするシュレッダー。
【請求項４】
請求項１乃至請求項３記載のシュレッダーにおいて、前記細断部の運転開始に連動して、前記正イオンの照射を開始することを特徴とするシュレッダー。
【請求項５】
請求項１乃至請求項４記載のシュレッダーにおいて、前記細断屑収容箱に収容された紙へ正イオンを照射するファンを有することを特徴とするシュレッダー。
【請求項６】
請求項５記載のシュレッダーにおいて、前記細断部の運転中は前記ファンを停止させ、前記細断部の運転終了後に前記ファンを運転することを特徴とするシュレッダー。
【請求項７】
請求項１乃至請求項６記載のシュレッダーにおいて、前記本体部は外部の湿度を検知する湿度センサーを有しており、前記湿度センサーで検知される湿度に応じた信号によって前記正イオン発生器の運転を制御することを特徴とするシュレッダー。
【発明の詳細な説明】
【技術分野】
【０００１】
本発明は、不要になった用紙類などを細断するシュレッダーに関する発明である。 
【背景技術】
【０００２】
従来のシュレッダーでは、用紙類を細断すると、用紙屑同士の摩擦帯電などによる静電気が発生し、用紙屑が製品内のカッター等に付着して、細断性能を低下させたり、用紙屑などを回収する際にシュレッダー内部の用紙屑箱の周囲が汚れたりして、問題になることが多い。
【０００３】
ここで、用紙類は負に帯電しやすく、実際にシュレッダーで細断された用紙屑は負に帯電することが知られている。
【０００４】
上記問題に対し、用紙屑に発生した負の静電気を低減するためには、一般的な除電器を本体内部に設置した構造が考えられる。使用する除電器として考えられる第１の従来技術は、個別に発生させた正負の高電圧を、正負各々の放電電極へ印加することで、各々の放電電極の先端から大量の正負両イオンをほぼ同量発生させ、発生した両イオンをファンでシュレッダー本体内部に送出する方式であり、送出された大量の正負両イオンで用紙屑の負の静電気を中和して、低減させている（例えば、特許文献１及び特許文献２参照。）。
【０００５】
第２の従来技術としては、同一の放電電極に正負の高電圧を交互に印加することで、同一の放電電極の先端から大量の正負両イオンをほぼ同量発生させ、発生した両イオンをファンでシュレッダー本体内部に送出する方式であり、送出された大量の正負両イオンで用紙屑の負の静電気を中和して、低減させている。
【０００６】
また、第３の従来技術として人体に使用するもので、負イオンを吐出して毛髪に浸透させて、帯電を減少させトリートメントを行うことを目的としたヘアードライヤー技術がある（例えば、特許文献３参照。）。
第３の従来技術では、放電電極に負の高電圧を印加することで、放電電極と対向電極との間に常に安定した電位差が生じ、両電極間で放電を起こして発生させた大量の負イオンを、強風を利用して強制的に毛髪に暴露するという手段をとっている。
【０００７】
【特許文献１】特許登録第２６６２６０６号公報（第４頁、第３図及び第５図）
【０００８】
【特許文献２】特開２００３−３８９６９号公報（第９頁、第７図）
【０００９】
【特許文献３】特開２００２−１９１４２６号公報（第６頁、第４図）
【発明の開示】
【発明が解決しようとする課題】
【００１０】
本発明は、上記従来技術１、２、３の問題を解決するためになされたもので、本発明の課題は、シュレッダーにおいて、用紙類を細断する際に発生する負の静電気を、長期的に効率良く低減することで、細断性能の低下や用紙屑などを回収する際の用紙屑箱周囲の汚れを抑制することである。
【００１１】
上記問題を解決する手段として、前述したような一般的な除電器を本体内部に設置した構造が考えられるのだが、前述した第１の従来技術である「個別に発生させた正負の高電圧を、正負各々の放電電極へ印加することで、各々の放電電極の先端から大量の正負両イオンをほぼ同量発生させ、発生した両イオンをファンでシュレッダー本体内部に送出する方式」については、初期的に両放電電極から発生する正負両イオンの発生量を同程度にする必要がある。
【００１２】
第１の従来技術の考え方は、正負各々の放電電極から発生させた正負のイオンを対象物へ大量に照射することで、対象物の帯電電荷量を照射したイオン（電荷）量に対して誤差程度の少量にするという中和除電である。
【００１３】
しかしながら第１の従来技術の除電器は、長期的に使用している間に正負両放電電極先端に付着する埃などの影響で各々の放電状態が変化するため、初期設定した正負両イオン発生量のバランスを維持できなくなり、静電気低減効果も低下もしくは無くなってしまうという問題がある。
【００１４】
特に、正負両イオンを発生させる方式の除電器を長期的に使用していると、負イオンの発生量と比較して正イオンの発生量の方が先に減少し易いため、負に帯電した用紙類の静電気を低減させる方式としてはあまり適していない。つまり、用紙類の負の静電気を低減させるためには正イオン発生量が必要であるが、長期的に使用することで、正イオン発生量が減少し、相対的に負イオンが多くなるために、負の静電気を低減する効果が低下し、更には負の静電気をより増加させてしまうという問題に繋がるのである。
【００１５】
また、第２の従来技術である「同一の放電電極に正負の高電圧を交互に印加することで、同一の放電電極の先端から大量の正負両イオンをほぼ同量発生させ、発生した両イオンをファンでシュレッダー本体内部に送出する方式」については、安定した放電を維持するための対向電極と発生した正負両イオンが互いにぶつかり合って消滅しないように送出するためのイオン送出用のファンを設置して、正負両イオン発生量を同程度にしなければならないという問題がある。この対向電極とファンとを設置しないと、負イオンの発生量の方が極端に多くなってしまう。
【００１６】
また、第２の従来技術においても、使用している内に正イオン発生量の方が先に減少するため、第１の従来技術と同様の問題が発生してしまう。
【００１７】
上記のような問題を解決するためには、本発明のように、正負両イオンを同程度発生させる方式ではなく、正イオンのみ又は正イオンを負イオンよりも相対的に非常に多く発生させて、用紙屑に発生した負の静電気を低減する方式が有効となる。
【００１８】
また、前述した第３の従来技術のヘアードライヤーの技術では、放電電極に負の高電圧を印加することで、放電電極と対向電極との間に常に安定した電位差が生じ、両電極間で放電を起こして発生させた大量の負イオンを、強風を利用して強制的に毛髪に暴露するという手段をとっているため、対象物の帯電電位を問わず、対象物へのイオン暴露量が多ければ多いほど良い効果が得られるという商品への適用であるので問題ないのだが、静電気の低減を目的として使用した場合は、対象物の帯電電位を問わずにファンでイオンを暴露し続けると、対象物の静電気低減を通り越して、逆の電位へ帯電させてしまうという問題が発生し、あまり有効ではない。
【００１９】
第１、２の従来技術のように除電器も含めて、紙を細断中にファンで送風すると、ファンからの風の影響で用紙屑等がシュレッダー本体内部に飛散するという問題も発生してしまう。
【００２０】
上記のような問題を解決するためには、ファンで強制的にイオンを放出する方式ではなく、放電電極の電位と対象物の帯電電位との電位差に応じてイオンを放出する方式が有効となるのである。
【課題を解決するための手段】
【００２１】
上記のような問題を解決し、尚且つ目的を達成するために、請求項１記載の発明によれば、本体部と、紙を細断する細断部と、前記細断部にて細断された紙を受け収容する細断屑収容箱とを備えたシュレッダーにおいて、前記本体部に正イオンを発生する正イオン発生器を設け、前記正イオン発生器は正イオンを発生する放電電極の電位と前記細断部で細断された紙の帯電電位との電位差を利用して、正イオンを前記細断部で細断された紙へ照射することを特徴とする。
【００２２】
これにより、正イオン発生器から発生させる正イオンの作用で、細断中、負に帯電しやすい用紙屑等に発生した負の静電気を効率良く低減することを可能とした。
【００２３】
また、請求項２記載の発明によれば、請求項１記載のシュレッダーにおいて、前記正イオンの照射方向は、前記細断部で細断される紙に対して厚み面方向であることを特徴とすることにより、前記細断部で細断され落下している用紙屑へ向けて正イオンを直線的に集中して照射するため、用紙屑等に発生した負の静電気をより効率良く低減することを可能とした。
【００２４】
また、請求項３記載の発明によれば、請求項１乃至請求項２記載のシュレッダーにおいて、前記正イオンの照射方向は、前記細断屑収容箱の上部付近であることにより、落下中の用紙屑同士の摩擦で発生した負の静電気を落下中により効率良く低減することを可能とした。
【００２５】
また、請求項４記載の発明によれば、請求項１乃至請求項３記載のシュレッダーにおいて、前記細断部の運転開始に連動して、前記正イオンの照射を開始することにより、多量の静電気が発生する細断時とその後の所定時間にかけて、用紙屑等に発生した負の静電気を効率良く静電気を低減することを可能とした。
【００２６】
また、請求項５記載の発明によれば、請求項１乃至請求項４記載のシュレッダーにおいて、前記細断屑収容箱に収容された紙へ正イオンを照射するファンを有することにより、細断屑収容箱に収容された用紙屑等の負の静電気も含めて効率良く低減することを可能とした。
【００２７】
また、請求項６記載の発明によれば、請求項５記載のシュレッダーにおいて、前記細断部の運転中は前記ファンを停止させ、前記細断部の運転終了後に前記ファンを運転することにより、前記細断部の運転中は、ファンからの風に起因する落下中の用紙屑等の飛散及び摩擦帯電を抑制し、かつ前記細断部の運転終了後は、ファンを動作させて正イオンを前記細断屑収容箱に収容された紙へ正イオンを照射するため、用紙屑等に発生した負の静電気を前記細断部運転中から運転終了後の広範囲にわたって効率良く低減することを可能とした。
【００２８】
また、請求項７の発明によれば、請求項１乃至請求項６記載のシュレッダーにおいて、前記本体部は外部の湿度を検知する湿度センサーを有しており、前記湿度センサーで検知される湿度に応じた信号によって前記正イオン発生器の運転を制御することにより、高湿度の時は正イオン発生器を動作させず、低湿度の時だけ正イオン発生器を動作させることで、より静電気の発生し易い乾燥した環境時に正イオンを発生させて、静電気をより効率良く低減させることを可能とした。
【発明の効果】
【００２９】
本発明によれば、本体部と、紙を細断する細断部と、前記細断部にて細断された紙を受け収容する細断屑収容箱とを備えたシュレッダーにおいて、前記本体部に正イオンを発生する正イオン発生器を設け、前記正イオン発生器は正イオンを発生する放電電極の電位と前記細断部で細断された紙の帯電電位との電位差を利用して、正イオンを前記細断部で細断された紙へ照射することにより、イオン発生器から発生させる正イオンの作用で、負に帯電しやすい用紙屑等に発生した負の静電気を効率良く低減することができるため、細断性能の低下や用紙屑などを回収する際の周囲の汚れを抑制するという効果がある。
【００３０】
また、請求項２記載の発明によれば、請求項１記載のシュレッダーにおいて、前記正イオンの照射方向は、前記細断部で細断される紙に対して厚み面方向であることを特徴とすることにより、前記細断部で細断され落下している用紙屑へ向けて正イオンを直線的に集中して照射するため、用紙屑等に発生した負の静電気をより効率良く低減するという効果がある。
【００３１】
また、請求項３記載の発明によれば、請求項１乃至請求項２記載のシュレッダーにおいて、前記正イオンの照射方向は、前記細断屑収容箱の上部付近であることにより、落下中の用紙屑同士の摩擦で発生した負の静電気を落下中により効率良く低減するという効果がある。
【００３２】
また、請求項４記載の発明のよれば、請求項１乃至請求項３記載のシュレッダーにおいて、前記細断部の運転開始に連動して、前記正イオンの照射を開始することにより、多量の静電気が発生する細断時とその後の所定時間にかけて、用紙屑等に発生した負の静電気を効率良く静電気を低減するという効果がある。
【００３３】
また、請求項５記載の発明によれば、請求項１乃至請求項４記載のシュレッダーにおいて、前記細断屑収容箱に収容された紙へ正イオンを照射するファンを有することにより、細断屑収容箱に収容された用紙屑等の負の静電気も含めて効率良く低減するという効果がある。
【００３４】
また、請求項６記載の発明によれば、請求項５記載のシュレッダーにおいて、前記細断部の運転中は前記ファンを停止させ、前記細断部の運転終了後に前記ファンを運転することにより、前記細断部の運転中はファンからの風に起因する落下中の用紙屑等の飛散及び摩擦帯電を抑制し、かつ前記細断部の運転終了後には、ファンを動作させて正イオンを前記細断屑収容箱に収容された紙へ正イオンを照射するため、前記細断部運転中から運転終了後の広範囲にわたって、用紙屑等に発生した負の静電気を効率良く静電気を低減するという効果がある。
【００３５】
また、請求項７記載の発明によれば、請求項１乃至請求項６記載のシュレッダーにおいて、前記本体部は外部の湿度を検知する湿度センサーを有しており、前記湿度センサーで検知される湿度に応じた信号によって前記正イオン発生器の運転を制御することにより、高湿度の時は正イオン発生器を動作させず、低湿度の時だけ正イオン発生器を動作させることで、より静電気の発生し易い乾燥した環境時に正イオンを発生させて、用紙屑等に発生した負の静電気をより効率良く低減させることを可能とした。
【発明を実施するための最良の形態】
【００３６】
実施例１で示すように、出力電圧を＋４ｋＶ程度に調整した正イオン発生器Ａを、シュレッダー８内の用紙細断部９と細断屑収容箱１０との間の位置Ｂ又は位置Ｄ（図５参照のこと）に設置し、落下中の用紙屑１２及び細断屑収容箱１０周辺及び内部へ重点的に正イオンを照射させるような形態が望ましい。
【００３７】
更に、実施例２のように正イオン送出用のファン７を「用紙細断時に停止、用紙細断後に動作」させるような制御が可能であれば、本実施例２のような形態がより望ましい。
【実施例１】
【００３８】
図１に、本発明のシュレッダーの実施例１を示す。本シュレッダー８では、上部から挿入された用紙１１を、回転刃を有した用紙細断部９で細断し、細断された用紙屑１２は、その下方に設置された細断屑収容箱１０へ落下し、回収される。
【００３９】
一般的に、シュレッダーにおいて細断された用紙屑１２が最も帯電するのは、細断屑収容箱１０への落下中であり、次に細断屑収容箱１０の周辺及び内部だということが分かっている。主要因は、落下中の用紙屑１２同士の摩擦帯電である。
【００４０】
また、一般的に用紙類は負の静電気に帯電し易いため、細断された用紙屑１２は、確実に負の静電気を帯びる。
【００４１】
したがって、本実施例１では、下記に示す正イオン発生器Ａを本シュレッダー８本体内部に設置し、正イオン発生器Ａから発生させた正イオンを、落下中の用紙屑１２及び細断屑収容箱１０周辺及び内部へ照射することで、細断された用紙屑１２に発生した負の静電気を低減することが出来るのである。
【００４２】
図２は、本発明に使用する正イオン発生器Ａの外略図である。本正イオン発生器Ａは、＋入力リード線３と−入力リード線４間に印加された入力電圧を、高電圧発生器１内の圧電トランスで昇圧させて正の高電圧を発生させ、発生させた正の高電圧を高電圧出力線５を介して放電電極２へ印加することにより、放電電極２の先端部で正イオンを発生させる圧電トランス式正イオン発生器である。
【００４３】
図３は、本発明に使用する正イオン発生器Ａの電気的特性を示す表である。本正イオン発生器Ａは出力電圧調整手段を有しており、＋２．５ｋＶ〜＋７．０ｋＶの範囲で出力電圧を可変することが出来るため、それに応じて正イオン発生量も１０万個／ｃｍ３〜１００万個／ｃｍ３の範囲で可変することが出来る。
【００４４】
ここで、出力電圧測定には、岩通製の高圧プローブＨＶ−Ｐ３０を使用し、正イオン発生量測定には、神戸イオン商会製のイオンテスタＫＳＴ−９００を使用した。
【００４５】
図４に、本発明のシュレッダー内の正イオン発生器Ａ取付部６の概略図を示す。正イオン発生器取付部６は、高電圧発生器１収納部６ａとイオン発生風路６ｂからなり、放電電極２は、イオン発生風路６ｂ内にネジ止めされる。放電電極２から発生した正イオンは、イオン吹出口６ｃからシュレッダー８本体内部へ照射される。
【００４６】
ここで、本正イオン発生器Ａは、用紙細断部９の運転開始と連動して正イオン照射を開始し、所定時間動作して停止するように制御することが可能である。
【００４７】
また、イオン発生風路６ｂ内には、イオン送出用のファン７も設置出来るようになっているが、本実施例１では取り付けない。ファン７も用紙細断部９の運転開始と連動して動作を開始することも、用紙細断部９の運転停止と連動して動作を開始することも、所定時間動作して停止することも可能である。
【００４８】
図５に、正イオン発生器Ａ取付部６の取付位置図を示す。正イオン発生器Ａ取付部６は、ＢからＥの４ヶ所を選択することで、正イオンを照射する位置を選択できる。正イオンを照射する高さについて、位置Ｂ、位置Ｃ及び位置Ｄは細断屑収容箱１０の上部２０ｍｍ付近で、位置Ｅは用紙細断部９の最下部付近である。同一高さ平面での正イオンを照射する方向について、位置Ｂは用紙１１の厚み面に対して垂直に正イオンを照射する位置、位置Ｃは用紙１１の平面に対して垂直に正イオンを照射する位置、位置Ｄは用紙１１に用紙の厚みに面に対して斜め横から正イオンを照射する位置である。Ａ４用紙を細断する場合、位置ＢとＡ４用紙との最短距離は５０ｍｍ、最長距離は２６０ｍｍとなり、位置ＣとＡ４用紙との最短距離は１００ｍｍ、最長距離は１４５ｍｍとなる。
【００４９】
図６に、正イオン発生器Ａ取付部６の取付位置と静電気低減効果の関係を示す。本試験は、新品のＡ４のコピー用紙を静電気が発生しやすいようにドライヤーで強制乾燥させた直後、２枚ずつ５回連続して細断し、細断屑収容箱１０内中央で用紙屑１２の最上部である帯電電位測定地点Ｍでの用紙屑１２の帯電電位を静電電位計で測定するという方法で実施しする。ここで、本正イオン発生器Ａは出力電圧を＋４．０ｋＶに設定されており、用紙細断部９の運転開始に連動して動作を開始し、測定中は連続動作させている。なお、グラフ横軸の時間は、用紙細断部９が運転を停止した直後を０秒として表示している。
【００５０】
本結果をみると、「イオン発生なし（比較用）」と比較して、位置Ｂ、Ｃ、Ｄ及びＥのどの位置でも静電気低減効果が得られているが、中でも位置Ｂと位置Ｄの静電気低減効果が大きいことが分かる。
【００５１】
位置Ｂ及び位置Ｄは、放電電極２の正電位と落下中の用紙屑１２の負電位との間の電位差を利用して、直線的に集中して正イオンを照射しているために静電気低減効果が大きく、逆に位置Ｃは扇状に幅広く正イオンを照射しているために効果が若干小さいと考えられる。
【００５２】
また、位置Ｅは正イオンを用紙細断部９付近に集中して正イオンを照射しており、位置Ｂは細断屑収容箱１０の上部付近に集中して正イオンを照射しているのだが、両者の比較から、用紙細断部９付近に正イオンを照射しても、その後に用紙屑１２が落下して用紙屑１２同士の摩擦帯電が起こるため、細断屑収容箱１０の上部付近に正イオンを照射した方がより大きい効果を得られるものと考えられる。
【００５３】
位置Ｂについて、本結果は細断屑収容箱１０の上部付近として、細断屑収容箱１０の上部２０ｍｍの位置に正イオン発生器Ａ取付部６を取り付けたが、上部６０ｍｍの位置まで同等の効果が得られることを確認している。
【００５４】
次に、図７に、正イオン発生器Ａの出力電圧と静電気低減効果の関係を示す。本試験は前述の試験と同様の方法で実施し、正イオン発生器Ａ取付部６は、最も静電気低減効果が得られた図５の位置Ｂとした。
【００５５】
なお、試験は、「正イオン発生あり（出力電圧設定は、＋３．１ｋＶ、＋４．０ｋＶ、＋６．６ｋＶの３条件）」及び「イオン発生なし（比較用）」の４条件で実施した。
【００５６】
本結果を見ると、イオンを発生させない場合は、用紙細断部９が運転を停止した直後（０秒）で−１２ｋＶ帯電し、６０秒後でも−７ｋＶの帯電電位となっているが、正イオンを発生させた場合は、＋３．１ｋＶと出力電圧が低い設定でも直後の帯電電位は、−４ｋＶ程度と減少しており、３０秒後にはどの出力電圧設定でも−２ｋＶより小さくなっており、静電気低減効果が得られていることが分かる。
【００５７】
また、出力電圧が＋４．０ｋＶと＋６．６ｋＶに設定した場合を比較すると、静電気低減効果にほとんど差がみられないことから、出力電圧設定は＋４．０ｋＶ程度でも十分である。
【実施例２】
【００５８】
図８に、本発明のシュレッダーの実施例２を示す。本実施例２は、実施例１の正イオン発生器Ａ取付部６のイオン発生風路６ｂ内にイオン送出用のファン７を取り付けた構造であり、正イオン発生器Ａ取付部６は、図５の位置Ｂとし、正イオン発生器Ａの出力電圧は＋４．０ｋＶに設定した。
【００５９】
本実施例２のシュレッダーでは、用紙細断部９と正イオン発生器Ａとファン７とは、全て独立してＯＮ／ＯＦＦ制御される。
【００６０】
図９に、本実施例２の用紙細断部９と正イオン発生器Ａとファン７の制御タイムチャート図を示す。用紙１１をシュレッダー８上部から差し込むと、用紙細断部９が動作して細断を始め、同時に正イオン発生器Ａも動作を開始するが、ファン７は動作しない。この時点が用紙細断開始時である。
【００６１】
続いて、細断する用紙が無くなってから５秒後に、用紙細断部９は動作を停止し、ファン７が動作を開始する。この時点が用紙細断完了時である。
【００６２】
最後に、用紙細断完了時から６０秒経過して、ファン７及び正イオン発生器Ａが停止する。この時点が静電気低減動作完了時である。正イオン発生器Ａは、用紙細断開始時から連続動作している。
【００６３】
図１０に、本実施例２による静電気低減試験結果を示す。本試験は、実施例１の試験と同様の方法で実施した。試験は、本実施例２の図９のタイムチャート９に示すようなファン７を「用紙細断時に停止、用紙細断後に動作」させる条件に加え、比較用としてファン７を「常時動作」又は「常時停止」させる２条件を含む３条件で実施した。
【００６４】
本結果を見ると、３条件どれも静電気低減効果は得られている。ただし、ファン７を「常時動作」と「常時停止」させた場合とを比較すると、直後のそれぞれの帯電電位が−４ｋＶと−２．３ｋＶと、わずかに差があることが分かる。これは、ファン７から送風される風が原因で、用紙屑１２同士の摩擦帯電によって静電気が増加しているものと思われる。
【００６５】
また、ファン７を「常時停止」と「用紙細断時に停止、用紙細断後に動作」させた場合とを比較すると、直後の帯電電位は同じであるが、その後の帯電電位低減量に差が出ており、後者の低減量の方が大きいことが分かる。これは、ファン７から送風される風に乗って、発生した正イオンが細断屑収容箱１０内に広く照射されているものと思われる。
【００６６】
本結果から、イオン送出用のファン７は、「用紙細断時に停止、用紙細断後に動作」させると、より高い静電気低減効果が得られることが分かる。
【実施例３】
【００６７】
実施例３として、本発明に使用する正イオン発生器の内の正イオンだけを発生させるイオン発生器ではなく、同一の放電電極２から正負両イオンを発生し、負イオン発生量よりも正イオン発生量の方が多いイオン発生器について、実施例１と同様の静電気低減試験を実施する。本イオン発生器は、実施例１で使用した正イオン発生器Ａと同じ外形で、正負両イオンを発生するように高電圧発生器１に部品を追加しただけのものであり、正負両イオンの発生比率は調整可能である。
【００６８】
図１１に、本実施例３による静電気低減試験結果を示す。本試験は、正イオン発生量と負イオン発生量の比率を「３：２」に調整した時と「２：１」に調整した時の２条件で実施した。この際ファン７は動作させない。
【００６９】
本結果から、正負両イオンを発生させても、負イオン発生量よりも正イオン発生量の方が多いと静電気低減効果が得られ、正イオンの比率が大きくなるほど効果が大きいことが分かる。
【００７０】
次に、「正イオンを発生（本発明の方式）」と従来技術である「正負イオンを発生（同程度の正負イオンを用いて静電気を低減する方式）」と「正イオンを暴露（正イオン発生器Ａに対向電極とファン７とを付加して強制的に正イオンを暴露する方式）」の３条件について、実施例１と同様の方法で試験を行い、本発明との比較を行った。
【００７１】
なお、本試験に使用した正負イオン発生器は、高電圧発生回路のＧＮＤ電位に接続した対向電極をイオン吹出口６ｃ付近に取り付け、同一の電極から交互に発生する正負イオンをファン７で送風することで、正負両イオンのバランスを調整したものである。
【００７２】
また、正イオン発生器Ａに対向電極とファン７とを付加して強制的に正イオンを暴露する方式に使用する正イオン発生器についても、高電圧発生回路１のＧＮＤ電位に接続した対向電極をイオン吹出口６ｃ付近に取り付けている。
【００７３】
図１２に、本発明と従来技術の静電気低減効果の比較試験結果を示す。本結果を見ると、従来技術の「正負イオンを発生」させた場合は、直後の帯電電位が−８ｋＶ程度と静電気は若干低減されているが、本発明の「正イオンを発生」させた場合の−４ｋＶ程度と比較して、静電気低減効果は半分程度と効果が小さいことが分かる。
【００７４】
「正イオンを暴露」させた場合については、放電電極２と対向電極間で大量の正イオンを発生させ、ファン７で強制的に照射させているため、１０秒後の時点で静電気はほぼ零になっているのだが、その後も強制的に正イオンを暴露しているために、逆に用紙屑１２を正に帯電させてしまっている。また、本条件では対向電極があるために、対向電極がない場合と比較して、オゾン発生量が数倍に増加するため、オゾン特有の臭いがする。そのため、閉空間で使用する際にはオゾン発生量を考慮に入れて、出力電圧や動作時間等を設定・制御する必要がある。
【００７５】
上記結果から、シュレッダー８内の帯電状態に応じて正イオンの発生量を自己調整でき、オゾン発生量も少なく、コスト的にもメリットのある、本発明の方式が最も優れていることが分かる。
【００７６】
最後に実施例３は、シュレッダー８の周囲の湿度を検知する湿度センサー１３を持つシュレッダー８である。図１３に本発明のシュレッダーの実施例３のブロック図を示す。本湿度センサー１３は、周囲の湿度を検知し、検知された湿度に応じた電気信号を正イオン発生器Ａ制御回路１４へ出力し、正イオン発生器Ａ制御回路１４は入力された電気信号の値に応じて正イオン発生器Ａを動作・停止させることが可能である。
【００７７】
一般的に、静電気は湿度６０％ＲＨ以下になると発生しやすく、それ以上では発生し難い。したがって本実施例３では、周囲の湿度が６０％ＲＨ以下の時に正イオン発生器Ａを動作させて、発生させた正イオンによって用紙屑１２に発生した負の静電気を低減している。逆に、湿度が６０％ＲＨより高い時には静電気が発生しにくいので、正イオン発生器Ａを動作させないように制御している。
【００７８】
図１４に、本実施例３の正イオン発生器Ａの制御図を示す。本正イオン発生器Ａは、湿度が６０％ＲＨ以下の時に動作し、６０％ＲＨより高い時には停止するように制御されており、実際に用紙屑１２に負の静電気が発生し易い環境になった時だけ、正イオン発生器Ａを動作させて、発生させた正イオンで用紙屑１２の負の静電気を低減させるのである。
【産業上の利用可能性】
【００７９】
本発明のシュレッダーにより、不要になった用紙類などを細断する際に生じる負の静電気を、正イオンの作用で本体内部の広範囲にわたって、効率良く低減することができる。
【図面の簡単な説明】
【００８０】
【図１】本発明のシュレッダーの実施例１である。
【図２】本発明に使用する正イオン発生器Ａの外略図である。
【図３】本発明に使用する正イオン発生器Ａの電気的特性を示す表である。
【図４】本発明のシュレッダー内の正イオン発生器Ａ取付部６の概略図である。
【図５】正イオン発生器Ａ取付部６の取付位置図である。
【図６】正イオン発生器Ａ取付部６の取付位置と静電気低減効果の関係を示す図である。
【図７】正イオン発生器Ａの出力電圧と静電気低減効果の関係を示す図である。
【図８】本発明のシュレッダーの実施例２である。
【図９】本実施例２の用紙細断部９と正イオン発生器Ａとファン７の制御タイムチャート図である。
【図１０】本実施例２による静電気低減試験結果である。
【図１１】本発明のシュレッダーの実施例３である。
【図１２】本発明と従来技術の静電気低減効果の比較試験結果である。
【図１３】本発明のシュレッダーの実施例３のブロック図である。
【図１４】本実施例３の正イオン発生器Ａの制御図である。
【符号の説明】
【００８１】
１…高電圧発生器、２…放電電極、３…＋入力リード線、４…−入力リード線、
５…高電圧出力線、６…正イオン発生器取付部、６ａ…高電圧発生器１収納部、
６ｂ…イオン発生風路、６ｃ…イオン吹出口、７…ファン、８…シュレッダー、
９…用紙細断部、１０…細断屑収容箱、１１…用紙、１２…用紙屑、
１３…湿度センサー、１４…正イオン発生器Ａ制御回路
Ａ…正イオン発生器、Ｂ、Ｃ、Ｄ、Ｅ…正イオン発生器Ａ取付部６の取付位置、
Ｍ…帯電電位測定地
【図１】
2005040743.tif 000003
【図２】
2005040743.tif 000004
【図３】
2005040743.tif 000005
【図４】
2005040743.tif 000006
【図５】
2005040743.tif 000007
【図６】
2005040743.tif 000008
【図７】
2005040743.tif 000009
【図８】
2005040743.tif 000010
【図９】
2005040743.tif 000011
【図１０】
2005040743.tif 000012
【図１１】
2005040743.tif 000013
【図１２】
2005040743.tif 000014
【図１３】
2005040743.tif 000015
【図１４】
2005040743.tif 000016